(57)【要約】【課題】番組の視聴制限を容易、かつ自由に行い得るようにする。【解決手段】ＥＣＣデコーダ４３よりディジタル放送データとしてのＭＰＥＧ２ＴＳパケットＳ３を得る。このパケットＳ３よりＮＩＴ検出回路４４でＮＩＴを検出し、伝送周波数情報を変更し、また視聴制限すべき番組の情報（サービス情報）を削除してテーブルＮＩＴｂを得る。ＮＩＴ置換回路４８では、パケットＳ３よりＮＩＴを検出し、それをテーブルＮＩＴｂに置き換えて、ＣＡＴＶにおけるディジタル放送データとしてのＭＰＥＧ２ＴＳパケットＳ４を得る。このパケットＳ４に対して誤り訂正符号の付加処理、変調処理および周波数変換処理をしてＣＡＴＶ用のディジタル放送信号ＢＳ1を得る。ＮＩＴの番組情報に基づいて所定の番組の受信を行う受信装置では、ＮＩＴより削除された番組情報に係る番組は受信されなくなる。【選択図】        図１２
2008172819.tif 000002
【特許請求の範囲】
【請求項１】
第１のネットワーク上を伝送される第１のディジタルコンテンツ信号に対応するディジタル信号として、上記第１のネットワークとは異なる第２のネットワークにて伝送される第２のディジタルコンテンツ信号を出力する信号処理装置であって、
上記第１のディジタルコンテンツ信号から、上記第１のディジタルコンテンツ信号の伝送周波数情報及び番組情報を含むテーブル情報を検出するテーブル検出手段と、
上記テーブル検出手段にて検出される上記テーブル情報における伝送周波数情報を上記第２のネットワーク内の伝送形式に対応する情報に変更する第１のテーブル変更手段と、
上記テーブル検出手段で検出される上記テーブル情報の上記番組情報のうち、視聴制限が行われる番組の情報を削除する第２のテーブル変更手段と、
上記第２のテーブル変更手段にて変更された上記テーブル情報を上記第２のディジタルコンテンツ信号のテーブル情報として出力する出力手段とを有し、
上記第１のディジタルコンテンツ信号は、上記番組情報に対応する番組を構成するデータを含む
ことを特徴とする信号出力装置。
【請求項２】
上記第２のディジタルコンテンツ信号には、変更された上記テーブル情報に含まれない、上記削除された番組を構成するデータが存在する
ことを特徴とする請求項１記載の信号出力装置。
【請求項３】
上記削除された番組を構成するデータは、ビデオデータあるいはオーディオデータ、付加データの少なくとも一つを有する
ことを特徴とする請求項２記載の信号出力装置。
【請求項４】
上記出力手段は、削除された上記番組情報にかかる部分にダミービットを挿入して、上記第２のディジタルコンテンツ信号を出力する
ことを特徴とする請求項１記載の信号出力装置。
【請求項５】
第１のネットワークとは異なる第２のネットワークにて伝送される第２のディジタルコンテンツ信号を受信する受信装置であって、
第１のネットワーク上を伝送される第１のディジタルコンテンツ信号から伝送周波数情報及び番組情報を含むテーブル情報を検出して、該テーブル情報における伝送周波数情報を上記第２のネットワーク内の伝送形式に対応する情報に変更する処理と上記番組情報のうち視聴制限が行われる番組の情報を削除する処理が行われた上記テーブル情報を上記第第２のディジタルコンテンツ信号のテーブル情報として、該第２のディジタルコンテンツ信号のテーブル情報と上記視聴制限が行われる番組の情報の削除前の番組情報に対応する番組を構成するデータを含む上記第２のディジタルコンテンツ信号を受信する受信手段と、
上記第２のディジタルコンテンツ信号より、上記テーブル情報を検出するテーブル検出手段と、
上記ディジタルコンテンツ信号より、番組案内情報を検出する情報検出手段と、
上記情報検出手段にて検出された上記番組案内情報を表示する表示手段とを備え、
上記表示手段は、表示されないよう削除された番組情報にかかる番組案内情報の表示を行わない
ことを特徴とする受信装置。
【請求項６】
上記削除された番組を構成するデータは、上記削除された番組のビデオデータあるいはオーディオデータ、付加データの少なくとも一つを有する
ことを特徴とする請求項５記載の受信装置。
【請求項７】
上記第２のディジタルコンテンツ信号では、削除された上記番組情報にかかる部分にダミービットが挿入されている
ことを特徴とする請求項５記載の受信装置。
【請求項８】
第１のネットワーク上を伝送される第１のディジタルコンテンツ信号に対応するディジタル信号として、上記第１のネットワークとは異なる第２のネットワークにて伝送される第２のディジタルコンテンツ信号を出力する信号処理装置の信号処理方法において、
上記第１のディジタルコンテンツ信号から、上記第１のディジタルコンテンツ信号の伝送周波数情報及び番組情報を含むテーブル情報を検出するテーブル検出工程と、
上記テーブル検出工程にて検出される上記テーブル情報における伝送周波数情報を上記第２のネットワーク内の伝送形式に対応する情報に変更する第１のテーブル変更工程と、
上記テーブル検出工程にて検出される上記テーブル情報の上記番組情報のうち、視聴制限が行われる番組の情報を削除する第２のテーブル変更工程と、
上記第２のテーブル変更工程にて変更された上記テーブル情報を上記第２のディジタルコンテンツ信号のテーブル情報として出力する出力工程を備え、
上記第１のディジタルコンテンツ信号は、上記番組情報に対応する番組を構成するデータを含む
ことを特徴とする信号処理方法。
【請求項９】
第１のネットワークとは異なる第２のネットワークにて伝送される第２のディジタルコンテンツ信号を受信する受信装置の信号処理方法であって、
第１のネットワーク上を伝送される第１のディジタルコンテンツ信号から伝送周波数情報及び番組情報を含むテーブル情報を検出して、該テーブル情報における伝送周波数情報を上記第２のネットワーク内の伝送形式に対応する情報に変更する処理と上記番組情報のうち視聴制限が行われる番組の情報を削除する処理が行われた上記テーブル情報を上記第第２のディジタルコンテンツ信号のテーブル情報として、該第２のディジタルコンテンツ信号のテーブル情報と上記視聴制限が行われる番組の情報の削除前の番組情報に対応する番組を構成するデータを含む上記第２のディジタルコンテンツ信号を受信する受信工程と、
上記第２のディジタルコンテンツ信号より、上記テーブル情報を検出するテーブル検出工程と、
上記ディジタルコンテンツ信号より、番組案内情報を検出する情報検出工程と、
上記情報検出工程にて検出された上記番組案内情報を表示する表示工程とを備え、
上記表示工程は、表示されないよう削除された番組情報にかかる番組案内情報の表示を行わない
ことを特徴とする信号処理方法。
【発明の詳細な説明】
【技術分野】
【０００１】
この発明は、任意のネットワークで放送されているディジタル放送番組を他のネットワークで配信サービスする際に使用して好適な信号処理装置および受信装置に関する。詳しくは、第１のネットワークにおけるディジタル放送データのＮＩＴ（ネットワーク・インフォメーション・テーブル）を検出し、そのＮＩＴに含まれる番組情報のうち、視聴制限を行いたい番組の情報を削除し、第１のネットワークにおけるディジタル放送データのＮＩＴを上記番組の情報を削除したＮＩＴに置き換えて第２のネットワークにおけるディジタル放送データを得ることによって、番組の視聴制限を容易、かつ自由に行い得るようにした信号処理装置に係るものである。また、ディジタル放送データより検出された番組案内情報のうち、ネットワーク・インフォメーション・テーブルに存在しない番組情報に係る番組案内情報の表示を行わないようにすることによって、視聴者の混乱を防止するようにした受信装置に係るものである。
【背景技術】
【０００２】
例えば、衛星ディジタル多チャネル放送を、ケーブルテレビ事業者等が自施設内のネットワークを利用し、変調変換送出装置等によって配信サービスする等、任意のネットワークで放送されているディジタル放送番組を他のネットワークで配信サービスすることが考えられる。
【０００３】
この場合、ディジタル放送データは伝送路に関する物理的な情報を持つＮＩＴを有していることから、変調変換送出装置等で変調方法を変換するだけでは、第１のネットワークで放送されているディジタル放送番組を第２のネットワークで配信サービスすることができず、さらにディジタル放送データのＮＩＴに含まれる伝送周波数情報等を第２のネットワークに適合させる必要がある。
【０００４】
なお、ＮＩＴには番組情報も含まれており、例えばケーブルテレビの伝送路に接続されるセット・トップ・ボックス（宅内受信装置）は、ＮＩＴを検出し、それに含まれる番組情報に基づいて所定の番組を受信するように構成される。
【発明の開示】
【発明が解決しようとする課題】
【０００５】
ところで、例えば衛星ディジタル多チャネル放送を、ケーブルテレビ事業者等が自施設内のネットワークを利用し、変調変換送出装置等によって配信サービスする際、ケーブルテレビの伝送路上に存在する番組であっても、視聴制限を行いたい場合がある。
【０００６】
そこで、この発明では、番組の視聴制限を容易、かつ自由に行い得るようにした信号処理装置と信号処理方法を提供することを目的とする。
【０００７】
また、近年、衛星放送受信機等において、ディジタル放送データより番組案内情報を検出し、その番組案内情報を表示器に表示し、視聴者の番組の選択等の便に供することが提案されている。ＮＩＴに含まれる番組情報と、番組案内情報とは１対１に対応していない。この場合、ＮＩＴに含まれる番組情報に対応しておらず、受信が不可能な番組の案内情報が表示されるとすれば、番組案内情報に基づいて番組を選択したにも拘わらずその番組が受信されず、視聴者を混乱させるおそれがある。
【０００８】
そこで、この発明では、視聴者の混乱を防止するようにした受信装置を提供することを目的とする。
【課題を解決するための手段】
【０００９】
この発明に係る信号処理装置は、第１のネットワーク上を伝送される第１のディジタルコンテンツ信号に対応するディジタル信号として、第１のネットワークとは異なる第２のネットワークにて伝送される第２のディジタルコンテンツ信号を出力する信号処理装置であって、第１のディジタルコンテンツ信号から、第１のディジタルコンテンツ信号の伝送周波数情報及び番組情報を含むテーブル情報を検出するテーブル検出手段と、テーブル検出手段にて検出されるテーブル情報における伝送周波数情報を第２のネットワーク内の伝送形式に対応する情報に変更する第１のテーブル変更手段と、テーブル検出手段で検出されるテーブル情報の番組情報のうち、視聴制限が行われる番組の情報を削除する第２のテーブル変更手段と、第２のテーブル変更手段にて変更されたテーブル情報を第２のディジタルコンテンツ信号のテーブル情報として出力する出力手段とを有し、第１のディジタルコンテンツ信号は、番組情報に対応する番組を構成するデータを含むものである。
【００１０】
この発明において、第１のネットワーク上の例えば第１のディジタル放送信号は所定の伝送周波数を有しているが、この第１のディジタル放送信号は周波数変換されてディジタル変調信号とされ、さらに復調されることで第１のネットワークにおけるディジタル放送データが得られる。この第１のネットワークにおけるディジタル放送データは、伝送周波数情報および番組情報を含むＮＩＴを持っている。この第１のネットワークにおけるディジタル放送データよりＮＩＴが検出され、少なくとも伝送周波数情報が第２のネットワークに適合するように変更され、またＮＩＴの番組情報のうち視聴制限を行いたい番組の情報が削除される。
【００１１】
そして、第１のネットワークにおけるディジタル放送データのＮＩＴが、伝送周波数情報等が第２のネットワークに適合するように変更され、かつ視聴制限を行いたい番組の情報が削除されたＮＩＴに置き換えられて第２のネットワークにおけるディジタル放送データが形成される。この第２のネットワークにおけるディジタル放送データは変調されてディジタル変調信号とされ、さらに周波数変換されて第２のネットワークで送信する第２のディジタル放送信号が得られる。
【００１２】
ＮＩＴの番組情報に基づいて所定の番組の受信を行う受信装置においては、ＮＩＴの番組情報にない番組は受信しない。したがって、上述したようにＮＩＴの番組情報のうち視聴制限を行いたい番組の情報を削除することで、伝送路上に存在する番組であっても、その番組の視聴を制限することが可能となる。
【００１３】
また、この発明に係る受信装置は、第１のネットワークとは異なる第２のネットワークにて伝送される第２のディジタルコンテンツ信号を受信する受信装置であって、第１のネットワーク上を伝送される第１のディジタルコンテンツ信号から伝送周波数情報及び番組情報を含むテーブル情報を検出して、該テーブル情報における伝送周波数情報を第２のネットワーク内の伝送形式に対応する情報に変更する処理と番組情報のうち視聴制限が行われる番組の情報を削除する処理が行われたテーブル情報を第第２のディジタルコンテンツ信号のテーブル情報として、該第２のディジタルコンテンツ信号のテーブル情報と視聴制限が行われる番組の情報の削除前の番組情報に対応する番組を構成するデータを含む第２のディジタルコンテンツ信号を受信する受信手段と、第２のディジタルコンテンツ信号より、テーブル情報を検出するテーブル検出手段と、ディジタルコンテンツ信号より、番組案内情報を検出する情報検出手段と、情報検出手段にて検出された番組案内情報を表示する表示手段とを備え、表示手段は、表示されないよう削除された番組情報にかかる番組案内情報の表示を行わないものである。
【００１４】
この発明において、表示手段には、テーブル検出手段で検出されたＮＩＴに存在しない番組情報に係る番組案内情報は表示されなくなる。つまり、表示手段に表示される番組案内情報は、受信可能な番組の案内情報のみとなる。そのため、視聴者が番組案内情報に基づいて選択する番組は全て受信されることとなる。これにより、番組案内情報に基づき視聴者が選択した番組が受信できないということがなく、視聴者の混乱を防止することが可能となる。
【発明の効果】
【００１５】
この発明に係る信号処理装置は、第１のネットワークにおけるディジタル放送データのＮＩＴを検出し、そのＮＩＴに含まれる番組情報のうち、視聴制限を行いたい番組の情報を削除し、第１のネットワークにおけるディジタル放送データのＮＩＴを番組の情報を削除したＮＩＴに置き換えて第２のネットワークにおけるディジタル放送データを得るものである。ＮＩＴの番組情報に基づいて所定の番組の受信を行う受信装置においては、その番組情報のない番組は受信されない。したがって、上述したようにＮＩＴの番組情報のうち視聴制限を行いたい番組の情報を削除することで、伝送路上に存在する番組であっても、その番組の視聴を容易、かつ自由に制限することができる。また、ＮＩＴの置き換えのみで番組の視聴制限が可能となるので、視聴制限を行う番組のデータを削除して第２のネットワークにおけるディジタル放送データを得る場合よりも簡単に視聴制限を行うことができる。
【００１６】
また、この発明に係る受信装置は、ディジタル放送データより検出された番組案内情報のうち、ＮＩＴに存在しない番組情報に係る番組案内情報の表示を行わないようにするものである。この場合、表示手段に表示される番組案内情報は、受信可能な番組の案内情報のみとなる。したがって、番組案内情報に基づき視聴者が選択した番組が受信できないということがなく、視聴者の混乱を防止できる。
【発明を実施するための最良の形態】
【００１７】
以下、図面を参照しながら、この発明の実施の形態について説明する。図１は、実施の形態としての衛星ディジタル多チャネル放送を利用したディジタルＣＡＴＶ（cable television）システム１０を示している。このシステム１０は、通信衛星２０の複数のトランスポンダ（衛星中継器）からのディジタル放送信号を受信するアンテナ１１と、この受信されたディジタル放送信号の伝送周波数や変調方式等を変更してＣＡＴＶ用のディジタル放送信号を生成して伝送路１３に送出する変調変換送出装置１２とを有して構成されている。なお、伝送路１３には、受信端末であるセット・トップ・ボックス（宅内受信装置）１４-1〜１４-mが接続され、これらセット・トップ・ボックス１４-1〜１４-mで選択されたチャネル番号の画像がモニタ１５-1〜１５-mに表示される。
【００１８】
ここで、通信衛星２０より送られてくるディジタル放送信号について説明する。本実施の形態において、このディジタル放送信号は、ＤＶＢ（Digital Video Broadcasting）システムに対応したものである。図２ＢはＤＶＢシステムにおけるディジタル放送データのフレーム構成を示しており、８個のＭＰＥＧ２トランスポートパケット（図２Ａ参照）で１フレームが構成されている。この場合、パケット内の同期バイト（＝４７H）を用い、８パケットに１回同期バイトを反転（＝Ｂ８H）させてフレーム同期を得る構成となっている。なお、各ＭＰＥＧ２トランスポートパケット（ＭＰＥＧ２ＴＳパケット）には、リードソロモン（２０４，１８８）による誤り訂正符号が付加される。図２Ｂに示すディジタル放送データがＱＰＳＫ（Quadrature Phase Shift Keying）変調され、その後にＳＨＦ帯に周波数変換されて通信衛星２０より送信されてくるディジタル放送信号となる。
【００１９】
図３は、ＭＰＥＧ２トランスポートパケットのパケット構成を示しており、１８８バイトのうち先頭の４バイトはパケットヘッダを構成している。パケットヘッダには該当パケットの個別ストリーム（データ列）の属性を示すＰＩＤ（Packet Identification：パケット識別子）が配されている。ＭＰＥＧ２トランスポートパケットのペイロード（データ部）には、周知のように図４にパケット構成を示すＰＥＳ（Packetized Elementary Stream）パケットが再分割されて配されると共に、さらにＭＰＥＧ２システムの中で規定されているＰＳＩ（Program Specific Information：プログラム仕様情報）としてのＰＡＴ（Program Association Table）、ＰＭＴ（Program Map Table）、ＮＩＴ（Network Information Table）等のテーブル類もセクション形式によって配されている。
【００２０】
ここで、ＰＳＩは簡便な選局操作およびプログラム選択を実現するために必要な情報である。ＰＡＴは各プログラム番号（１６ビット）毎に、そのプログラムを構成するパケットの情報を伝送するＰＭＴのＰＩＤを示すものであり、図５はＰＡＴのテーブル構造を示している。ＰＡＴ自体のＰＩＤとしては、固定的にＰＩＤ＝“０”が割り当てられている。
【００２１】
主な内容について説明する。テーブルＩＤは、テーブルの種別を示すものであって、ＰＡＴでは“0×00”（１６進表記）である。ＴＳ （トランスポート・ストリーム）ＩＤは、ストリーム（多重化された符号化データ）を識別するものであって、衛星の場合はトランスポンダに相当する。バージョン番号は、テーブルの内容が更新される都度加算される。カレント・ネクスト・インジケータは、新旧バージョンを同時に伝送する際の識別に用いられる。プログラム番号は、個々のチャネルを識別するものである。ネットワークＰＩＤは、プログラム番号が“0×0000”の場合に、ＮＩＴのＰＩＤを示すものである。プログラム・マップＰＩＤは、ＰＭＴのＰＩＤを示すものである。
【００２２】
また、ＰＭＴは、各プログラム番号毎に、そのプログラムを構成する映像、音声、付加データ等のストリームが伝送されるパケットのＰＩＤを示すものである。ＰＭＴ自体のＰＩＤは、上述したようにＰＡＴで指定される。図６は、ＰＭＴのテーブル構造を示している。ＰＡＴと重複しない主な内容について説明する。テーブルＩＤは、テーブルの種別を示すものであって、ＰＭＴでは“0×02”である。ＰＣＲ ＰＩＤは復号する際の基準となるクロック（ＰＣＲ）が含まれるパケットのＰＩＤを示すものである。ストリーム・タイプは、映像、音声、付加データ等、ストリームで伝送される信号の種類を示すものである。
【００２３】
また、ＮＩＴは、伝送路に関する物理的な情報、すなわち衛星においては衛星の軌道、偏波、トランスポンダ毎の周波数等を示すものである。ＮＩＴ自体のＰＩＤは、上述したようにＰＡＴで指定される。図７は、ＮＩＴのテーブル構造を示している。ＰＡＴ、ＰＭＴと重複しない主な内容について説明する。テーブルＩＤは、テーブルの種別を示すものであって、当該ネットワークが“0×40”、他のネットワークが“0×41”である。ネットワークＩＤは、ネットワークを識別するものである。衛星の場合は個々の衛星に相当する。
【００２４】
さらに、ＮＩＴの一部として重要な役割を果たす二つのディスクリプタについて説明する。まず、サテライト・デリバリー・システム・ディスクリプタを説明する。このディスクリプタは、ＴＳ（トランスポート・ストリーム）ディスクリプタ長に従って繰り返されるディスクリプタの１番目として使用するものであって、ＴＳ（トランスポート・ストリーム）ＩＤと一対になる。
【００２５】
図８は、サテライト・デリバリー・システム・ディスクリプタの構造を示している。ディスクリプタ・タグは、ＤＶＢで規定されており、ディスクリプタの種別を示すものである。このディスクリプタでは、“0×43”となる。周波数は、ストリーム（ここではトランスポンダ）毎の伝送周波数を示すものである。軌道／西経・東経フラグ／偏波は、衛星の軌道、偏波を示すものである。変調／シンボル・レート／内側誤り訂正符号化率は、伝送方式に関する仕様を示すものである。
【００２６】
次に、サービス・リスト・ディスクリプタを説明する。このディスクリプタは、ＴＳ（トランスポート・ストリーム）ディスクリプタ長に従って繰り返されるディスクリプタの２番目以降として使用するものであって、当該ストリーム（ここではトランスポンダ）に多重されたサービス（チャネル）のＩＤを示すものである。すなわち、一つのＴＳ（トランスポート・ストリーム）ＩＤに複数のサービス・リスト・ディスクリプタが付属する。
【００２７】
図９は、サービス・リスト・ディスクリプタの構造を示している。ディスクリプタ・タグは、ＤＶＢで規定されており、ディスクリプタの種別を示すものである。このディスクリプタでは、“0×41”となる。サービスＩＤは、サービスを識別するものである。通常、サービスは視聴者が選局するチャネルと一致する。サービスタイプは、映像、音声、データ等、サービスの内容を示すものである。
【００２８】
また、ＭＰＥＧ２トランスポートパケットのペイロード部（データ部）には、ＥＰＧ（Electronic Program Guide：電子番組ガイド）の情報も配される。ＥＰＧは、ディジタル多チャネル放送特有のサービスの１つである。番組に関する情報を受信して番組案内情報としてモニタ画面上に表示させることにより、視聴者は希望の番組を簡単に探すことが可能となる。ＥＰＧは、現在放送中の番組を表示させて選局したり、数日先の番組を予約したりすることに利用される。ＥＰＧの情報はＳＩ（Service Information）と呼ばれるセクション形式のテーブル類に記述されており、受信機はこのテーブルから必要な情報を抽出し、画面上に表示する。代表的なテーブルにチャネル情報を表すＳＤＴ（Service Description Table）と、イベント（番組）情報を表すＥＩＴ（Event Information Table）がある。
【００２９】
ＳＤＴには、チャネル番号、チャネル名、チャネル内容等が記述されており、固定的に、ＰＩＤは“0×0011”となっている。図１０は、ＳＤＴのテーブル構造を示している。主な内容について説明する。テーブルＩＤは、テーブルの種別を示すものであって、当該ネットワークが“0×42”、他のネットワークが“0×46”である。ＳＤＴでは、当該テーブルの存在するＴＳＩＤを持つトランスポート・ストリーム中に多重化されている各サービスに関するスクランブルの有無、またＳＤＴに含まれるディスクリプタには当該サービスのサービス名、サービス内容、サービスタイプ等について記述されている。
【００３０】
ＥＩＴには、番組名、番組開始時刻、あらすじ、ジャンル等が記述されており、固定的に、ＰＩＤは“0×0012”となっている。図１１は、ＥＩＴのテーブル構造を示している。主な内容について説明する。テーブルＩＤは、当該ネットワークが“0×4E”、他のネットワークが“0×4F”である。ＥＩＴでは、１つのサービス（＝プログラム＝チャネル）を構成する通常複数のイベント（＝番組）について、そのイベントの開始時刻、継続時間、進行状態、スクランブルの有無の他、ＥＩＴに含まれるディスクリプタには番組名、番組ジャンル、ペイ・パー・ビュー番組の料金、あらすじ等に係る情報について記述されている。
【００３１】
図１２は、図１のディジタルＣＡＴＶシステム１０における変調変換送出装置１２の構成を示している。この送出装置１２は、通信衛星２０の第１〜第Ｎのトランスポンダ（衛星中継器）より送られてくるディジタル放送信号の伝送周波数や変調方式等を変更してＣＡＴＶ用のディジタル放送信号を生成して伝送路１３に送出するものである。なお、各ディジタル放送信号には複数チャネルの番組が多重化されている。
【００３２】
送出装置１２は、マイクロコンピュータを備えてなり、装置全体の動作を制御する制御部３１と、通信衛星２０の第１〜第Ｎのトランスポンダより送られてくるＳＨＦ（Super High Frequency）帯のディジタル放送信号を処理して、ＶＨＦ（Very High Frequency）帯またはＵＨＦ（Ultra High Frequency）帯のＣＡＴＶ用のディジタル放送信号ＢＳ1〜ＢＳNを生成する第１〜第Ｎの信号処理部３２-1〜３２-Nと、これらディジタル放送信号ＢＳ1〜ＢＳNを加算して伝送路１３に送出する加算器３３とを有している。なお、制御部３１には、各信号処理部３２-1〜３２-Nのチューナにおける受信周波数の設定等を行うための操作部３４と、送出装置１２の状態等を表示し、液晶表示器等で構成される表示部３５が接続されている。
【００３３】
信号処理部３２-1は、アンテナ１１で受信されたＳＨＦ帯の複数のディジタル放送信号より、通信衛星２０の第１のトランスポンダより送られてくるディジタル放送信号を選択し、そのディジタル放送信号に対して周波数変換処理を行ってＱＰＳＫ変調信号Ｓ１を得るチューナ４１と、このＱＰＳＫ変調信号Ｓ１を復調してＤＶＢのフレーム構成の信号Ｓ２を得る復調器４２と、この復調器４２より出力されるＤＶＢのフレーム構成の信号Ｓ２に対して誤り訂正を行って、ディジタル放送データとしてのＭＰＥＧ２トランスポートパケットＳ３を順次得るＥＣＣ（Error Correction Code）デコーダ４３とを有している。
【００３４】
また、信号処理部３２-1は、ＥＣＣデコーダ４３より順次出力されるＭＰＥＧ２トランスポートパケットＳ３よりＮＩＴ（ネットワーク・インフォメーション・テーブル）を検出するＮＩＴ検出回路４４と、このＮＩＴ検出回路４４で検出されたテーブルＮＩＴａを記憶するメモリ４５と、このメモリ４５に記憶されたテーブルＮＩＴａを制御部３１で変更して得られたテーブルＮＩＴｂを記憶するメモリ４６とを有している。ＮＩＴ検出回路４４では、固定のＰＩＤに基づいてＮＩＴの検出が行われる。上述したように通信衛星２０に係るディジタル放送データにおけるＮＩＴのテーブル構造は図７に示すようになっているため、ＮＩＴ検出回路４４で検出されるテーブルＮＩＴａのテーブル構造も同様である。
【００３５】
制御部３１では、テーブルＮＩＴｂを得るに当たって、テーブルＮＩＴａにおける伝送周波数情報等を持つサテライト・デリバリー・システム・ディスクリプタ（図８参照）が、図１３にその構造を示すＣＡＴＶ・デリバリー・システム・ディスクリプタに変更される。このＣＡＴＶ・デリバリー・システム・ディスクリプタの全長は、サテライト・デリバリー・システム・ディスクリプタと同一であるため、単純に置き換えるだけでよい。
【００３６】
主な内容を説明する。ディスクリプタ・タグは、ＤＶＢで規定されており、ディスクリプタの種別を示すものである。このディスクリプタでは、“0×44”となる。周波数は、ＣＡＴＶにおけるストリーム（多重化された符号化データ）毎の伝送周波数を示すものである。ＦＥＣ（外符号）は、外符号としての誤り訂正符号を示すものであって、このディスクリプタでは、“0010”となる。変調／シンボルレート／ＦＥＣ（内符号）は、伝送方式に関する仕様を示すものである。
【００３７】
また、制御部３１では、テーブルＮＩＴｂを得るに当たって、操作部３４の操作に対応して視聴制限すべきサービス（番組）の情報が削除される。この場合、ＮＩＴ検出回路４４で検出されるテーブルＮＩＴａの内容（ＴＳＩＤ毎に、そのトランスポート・ストリームに多重化されたサービス）を表示部３５に表示させることができる。この状態で、操作部３４によって視聴制限すべきサービスが指定されと、テーブルＮＩＴａより、そのサービスの情報が削除される。
【００３８】
例えば、あるＴＳＩＤに多重化されたサービスの全てが視聴制限をすべきサービスとして指定されるときは、そのＴＳＩＤに係る情報（図７において、ＴＳＩＤ〜ディスクリプタまでの情報）の全てが削除される。また例えば、あるＴＳＩＤに多重化されたサービスの一部が視聴制限をすべきサービスとして指定されるときは、そのＴＳＩＤに係るサービス・リスト・ディスクリプタよりそのサービスの情報（図９において、サービスＩＤ、サービス・タイプ）が削除される。
【００３９】
なお、ＣＡＴＶにおけるディジタル放送信号の数が、衛星ディジタル放送におけるディジタル放送信号の数よりも少ない場合がある。つまり、通信衛星２０がＬ個のトランスポンダを備え、衛星ディジタル放送におけるディジタル放送信号の数がＬ個であるとき、ＣＡＴＶではそのＬ個のディジタル放送信号のうちＮ個（Ｎ＜Ｌ）のディジタル放送信号が選択的に使用されることがある。その場合、制御部３１では、テーブルＮＩＴｂを得るに当たって、テーブルＮＩＴａにおけるＣＡＴＶで使用されないディジタル放送信号に対応したＴＳＩＤに係る情報（図７において、トランスポート・ストリームＩＤ〜ディスクリプタまでの情報）が削除される。
【００４０】
メモリ４５，４６の書き込み、読み出しは、制御部３１によりインタフェース４７を介して制御される。上述したチューナ４１の受信周波数も、制御部３１により、インタフェース４７を介して制御される。
【００４１】
また、信号処理部３２-1は、ＥＣＣデコーダ４３より順次出力されるＭＰＥＧ２トランスポートパケットＳ３よりＮＩＴを検出し、そのＮＩＴをメモリ４６に記憶されているテーブルＮＩＴｂに置き換えるＮＩＴ置換回路４８を有している。このＮＩＴ置換回路４８でも、固定のＰＩＤに基づいてＮＩＴの検出が行われる。また、制御部３１でテーブルＮＩＴｂを得るに当たって、視聴制限すべきサービス（番組）の情報等が削除される場合、上述せずも、その削除された情報に係る部分にダミービットが挿入される。これにより、ＮＩＴの全長が削除前と同じとなり、置き換えが容易となる。ＮＩＴ置換回路４８ではＮＩＴの置き換えのみが行われ、ＥＰＧの情報に関してはパケットＳ３とパケットＳ４とに含まれるＥＰＧの情報は共通である。
【００４２】
また、信号処理部３２-1は、ＮＩＴ置換回路４８でＮＩＴが置き換えられたＭＰＥＧ２トランスポートパケットＳ４に対して、リードソロモン（２０４，１８８）の誤り訂正符号を付加する等してＤＶＢのフレーム構成の信号Ｓ５（図２Ｂ参照）を得るＥＣＣエンコーダ４９と、このＤＶＢのフレーム構成の信号Ｓ５に６４ＱＡＭ（Quadrature Amplitude Modulation）の変調処理を行う変調器５０と、この変調器５０より出力される６４ＱＡＭ変調信号の周波数を変換してＶＨＦ帯またはＵＨＦ帯のＣＡＴＶ用のディジタル放送信号ＢＳ1を得る周波数変換器５１とを有している。
【００４３】
なお、信号処理部３２-2〜３２-Nは、それぞれ上述した信号処理部３２-1におけるチューナ４１、復調器４２、ＥＣＣデコーダ４３、インタフェース４７、ＮＩＴ置換回路４８、ＥＣＣエンコーダ４９、変調器５０および周波数変換器５１を備えた構成とされている。そして、信号処理部３２-2〜３２-NのＮＩＴ置換回路４８では、それぞれ信号処理部３２-1のメモリ４６に記憶されているテーブルＮＩＴｂが使用されてＮＩＴの置き換えが行われる。また、信号処理部３２-2〜３２-Nのチューナでは、それぞれアンテナ１１で受信された複数のディジタル放送信号より通信衛星２０の第２〜第Ｎのトランスポンダより送られてくるディジタル放送信号が選択され、そのディジタル放送信号に対して周波数変換処理が行われてＱＰＳＫ変調信号Ｓ１が得られる。信号処理部３２-2〜３２-Nのチューナの受信周波数は、制御部３１により、インタフェース４７を介して制御される。さらに、信号処理部３２-2〜３２-Nの周波数変換器５１では、ディジタル放送信号ＢＳ1〜ＢＳNの伝送周波数がそれぞれ異なるように周波数変換される。
【００４４】
次に、図１２に示す変調変換送出装置１２の動作を説明する。アンテナ１１で受信されたＳＨＦ帯の複数のディジタル放送信号は信号処理部３２-1のチューナ４１に供給される。チューナ４１では、通信衛星２０の第１のトランスポンダより送られてくるディジタル放送信号が選択され、さらにそのディジタル放送信号に対して周波数変換処理が行われてＱＰＳＫ変調信号Ｓ１が得られる。このＱＰＳＫ変調信号Ｓ１は復調器４２に供給され、この復調器４２ではＱＰＳＫ変調信号Ｓ１に対して復調処理が行われてＤＶＢのフレーム構成の信号Ｓ２が得られる（図２Ｂ参照）。そして、このＤＶＢのフレーム構成の信号Ｓ２がＥＣＣデコーダ４３に供給され、このＥＣＣデコーダ４３ではＤＶＢのフレーム構成の信号Ｓ２に対して誤り訂正処理が行われてディジタル放送データとしてのＭＰＥＧ２トランスポートパケットＳ３が順次得られる（図２Ａ参照）。
【００４５】
また、ＥＣＣデコーダ４３より順次出力されるＭＰＥＧ２トランスポートパケットＳ３はＮＩＴ検出回路４４に供給され、このＮＩＴ検出回路４４ではＭＰＥＧ２トランスポートパケットＳ３よりＮＩＴが検出される。そして、検出されたテーブルＮＩＴａはメモリ４５に供給されて記憶される。上述せずも、このＮＩＴ検出回路４４におけるＮＩＴの検出動作は、例えば一日に一度だけ行われる。制御部３１は、メモリ４５よりテーブルＮＩＴａを読み出し、そのテーブルＮＩＴａにおけるサテライト・デリバリー・システム・ディスクリプタ（図８参照）をＣＡＴＶ・デリバリー・システム・ディスクリプタ（図１３参照）に変更し、またテーブルＮＩＴａにおける視聴制限するように指定されたサービス（番組）の情報を削除し、さらにテーブルＮＩＴａにおけるＣＡＴＶで使用されないディジタル放送信号に対応したＴＳＩＤに係る情報を削除する等してテーブルＮＩＴｂを得、このテーブルＮＩＴｂをメモリ４６に記憶しておく。
【００４６】
また、ＥＣＣデコーダ４３より順次出力されるＭＰＥＧ２トランスポートパケットＳ３はＮＩＴ置換回路４８に供給され、このＮＩＴ置換回路４８ではＮＩＴが検出され、そのＮＩＴの部分がメモリ４６に記憶されているテーブルＮＩＴｂに置き換えられる。この場合、制御部３１でテーブルＮＩＴｂを得るに当たって、視聴制限すべきサービス（番組）の情報等が削除される場合、その削除された情報に係る部分にダミービットが挿入される。
【００４７】
また、ＮＩＴ置換回路４８でＮＩＴが置換されたＭＰＥＧ２トランスポートパケットＳ４はＥＣＣエンコーダ４９に供給され、このＥＣＣエンコーダ４９では、リードソロモン（２０４，１８８）の誤り訂正符号が付加される等してＤＶＢのフレーム構成の信号Ｓ５が形成される。このＤＶＢのフレーム構成の信号Ｓ５は変調器５０に供給され、この変調器５０ではＤＶＢのフレーム構成の信号Ｓ５に６４ＱＡＭの変調処理が行われて６４ＱＡＭ変調信号Ｓ６が得られる。そして、この６４ＱＡＭ変調信号Ｓ６は周波数変換器５１に供給され、この周波数変換器５１では６４ＱＡＭ変調信号に周波数変換処理が行われてＶＨＦ帯またはＵＨＦ帯の所定の伝送周波数のＣＡＴＶ用のディジタル放送信号ＢＳ1が得られる。
【００４８】
また、アンテナ１１で受信されたＳＨＦ帯の複数のディジタル放送信号は信号処理部３２-2〜３２-Nに供給され、それぞれのチューナでは通信衛星２０の第２〜第Ｎのトランスポンダより送られてくるディジタル放送信号が選択され、そのディジタル放送信号に対して周波数変換処理が行われてＱＰＳＫ変調信号Ｓ１が得られる。そして、信号処理部３２-2〜３２-Nでは、それぞれＮＩＴ置換回路４８で信号処理部３２-1のメモリ４６に記憶されているテーブルＮＩＴｂが使用されてＮＩＴの置き換えが行われる等、信号処理部３２-1と同様の処理が行われて、ＶＨＦ帯またはＵＨＦ帯の所定の伝送周波数のＣＡＴＶ用のディジタル放送信号ＢＳ2〜ＢＳNが得られる。これらのディジタル放送信号ＢＳ1〜ＢＳNは加算器３３に供給されて加算され、その加算信号はＣＡＴＶの伝送路１３に送出される。
【００４９】
図１４は、図１のディジタルＣＡＴＶシステム１０におけるセット・トップ・ボックス１４（１４-1〜１４-m）の構成を示している。
【００５０】
このセット・トップ・ボックス１４は、ＣＡＴＶの伝送路１３に接続される端子１０１と、マイクロコンピュータを有して構成され、全体の動作を制御するためのコントローラ１０２と、ＣＡＴＶの伝送路１３から端子１０１に供給されるディジタル放送信号ＣＤＢＳより所定のＲＦチャネルの放送信号を選択し、その所定のＲＦチャネルの放送信号に対応したディジタル変調データを出力するチューナ１０５とを有している。
【００５１】
コントローラ１０２には、視聴者の選局等の操作を受け付けるためのキー入力部１０３と、装置の動作状態等を表示するための液晶表示素子等で構成される表示部１０４とが接続されている。チューナ１０５における選局動作は、視聴者のキー入力部１０３の操作に基づき、コントローラ１０２によって制御される。
【００５２】
また、セット・トップ・ボックス１４は、チューナ１０５より出力されるディジタル変調データに対して復調処理をする復調器１０６と、この復調器１０６の出力データに対して誤り訂正処理をし、上述の所定のＲＦチャネルの放送信号に対応したＭＰＥＧ２トランスポート・ストリームＴＳを得るＥＣＣデコーダ１０７と、このトランスポート・ストリームＴＳのスクランブルされているビデオデータやオーディオデータのパケットに対してスクランブルの解除処理をするデスクランブラ１０８とを有している。
【００５３】
また、セット・トップ・ボックス１４は、デスクランブラ１０８より出力されるトランスポート・ストリームＴＳより、ユーザのキー入力部１０３の操作によって指定されたチャネルのビデオデータやオーディオデータのパケットを分離し、それらのパケットからなるビデオデータ・ストリームＶＤＳやオーディオデータ・ストリームＡＤＳを出力すると共に、そのチャネルの付加データのパケットを分離し、そのパケットからなる付加データ・ストリームＳＤＳを出力するデマルチプレクサ１０９とを有している。
【００５４】
なお、デマルチプレクサ１０９では、コントローラ１０２の制御に基づいて、上述した番組仕様情報（ＰＳＩ）としてのＮＩＴ，ＰＡＴ，ＰＭＴの取得や、上述したＥＰＧの情報が記述されたＳＤＴ，ＥＩＴの取得も行われる。そして、取得されたそれらの情報はコントローラ１０２に供給される。
【００５５】
また、セット・トップ・ボックス１４は、ビデオデータ・ストリームＶＤＳに対してデータ伸長処理等をしてビデオ信号ＳＶを得るビデオ処理部１１０と、そのビデオ信号ＳＶを出力するビデオ出力端子１１１と、ビデオ処理部１１０とビデオ出力端子１１１との間に挿入され、後述する番組案内情報等の文字表示信号ＳＣＨを合成する合成器１１２と、オーディオデータ・ストリームＡＤＳに対してデータ伸長処理等をしてオーディオ信号ＳＡを得るオーディオ処理部１１３と、そのオーディオ信号ＳＡを出力するオーディオ出力端子１１４とを有している。
【００５６】
また、セット・トップ・ボックス１４は、ＩＣカード１１５が接続されるＩＣカードインタフェース部１１６を有している。ＩＣカードインタフェース部１１６は、コントローラ１０２に接続されている。ＩＣカード１１５は、スクランブルの鍵情報を記憶していると共に、コントローラ１０２よりＩＣカードインタフェース部１１６を介して送られてくる限定受信情報に基づき視聴の可／不可を判断し、可の場合にはスクランブルの鍵情報をＩＣカードインタフェース部１１６を介してコントローラ１０２に送る機能を持っている。
【００５７】
また、セット・トップ・ボックス１４は、画面上に文字表示をするための文字表示信号ＳＣＨを発生するためのＯＳＤ（On Screen Display）回路１１７を有している。このＯＳＤ回路１１７はコントローラ１０２に接続され、その文字表示信号の発生動作はコントローラ１０２によって制御される。
【００５８】
次に、図１５のフローチャートを参照して、図１４に示すセット・トップ・ボックス１４の受信動作を簡単に説明する。
【００５９】
なお、ＰＡＴおよびＰＭＴにおいてはプログラム番号が、ＮＩＴにおいてはサービスＩＤが、それぞれの視聴者が選局するチャネル番号に該当する。さらに、ＮＩＴがネットワーク全体、すなわち全てのトランスポンダの情報を含み、同一のテーブルが全てのトランスポンダで並行に伝送されるのに対し、ＰＡＴおよびＰＭＴはそれぞれが伝送されるトランスポンダ内の番組の情報だけからなり、各トランスポンダ毎に異なった内容となっている。
【００６０】
視聴者がキー入力部１０３を操作して「Ｍ」チャネルを選局したとする（ステップＳＴ１）。この場合、コントローラ１０２は、デマルチプレクサ１０９で固定のＰＩＤによってＮＩＴが取得されるように制御し、そのＮＩＴの各ＴＳＩＤに付属するサービス・リスト・ディスクリプタ内のサービスＩＤについて「Ｍ」をサーチする（ステップＳＴ２）。
【００６１】
サービスＩＤ「Ｍ」があるとき（ステップＳＴ３）、コントローラ１０２は、サービスＩＤ「Ｍ」を含むサービス・リスト・ディスクリプタの前に組み合わされているＣＡＴＶ・デリバリー・システム・ディスクリプタより、「Ｍ」チャネルを伝送しているトランスポンダの周波数を認識し、チューナ１０５の受信周波数を制御する（ステップＳＴ４）。これにより、チューナ１０５では、「Ｍ」チャネルを伝送している変調変換送出装置１２の所定の信号処理部からのディジタル放送信号が選択されることとなる。
【００６２】
そして、コントローラ１０２は、デマルチプレクサ１０９で固定のＰＩＤによってＰＡＴが取得されるように制御し、そのＰＡＴ内のプログラム番号について「Ｍ」をサーチしてＰＡＴ内のプログラム番号「Ｍ」を認識し、そのプログラム番号「Ｍ」に付随するプログラム・マップＰＩＤを得る（ステップＳＴ５）。そして、コントローラ１０２は、デマルチプレクサ１０９でプログラム・マップＰＩＤによってＰＭＴが取得されるように制御し、そのＰＭＴ内でプログラム番号「Ｍ」に対応するストリーム・タイプ（映像、音声等）毎のエレメンタリーＰＩＤを認識する（ステップＳＴ６）。
【００６３】
そして、コントローラ１０２は、デマルチプレクサ１０９でエレメンタリーＰＩＤと一致するＰＩＤを持つトランスポート・ストリーム・パケットが分離されるように制御する（ステップＳＴ７）。この場合、デマルチプレクサ１０９では、「Ｍ」チャネルのビデオデータやオーディオデータのパケットが分離されると共に、その「Ｍ」チャネルの付加データのパケットも分離される。
【００６４】
ここで、コントローラ１０２は、付加データ・ストリームＳＤＳより抽出される限定受信情報をＩＣカードインタフェース部１１６を介してＩＣカード１１３に供給する。ＩＣカード１１３では、その限定受信情報に基づき視聴の可／不可が判断される。そして、可の場合には、ＩＣカード１１５より、スクランブルの鍵情報がＩＣカードインタフェース部１１６を介してコントローラ１０２に送られる。この鍵情報は、コントローラ１０２により、デスクランブラ１０８にセットされる。これにより、デスクランブラ１０８では、スクランブルされているビデオデータやオーディオデータのパケットのスクランブルが解除され、従ってデマルチプレクサ１０９より得られるビデオデータ・ストリームＶＤＳやオーディオデータ・ストリームＡＤＳは、スクランブルが解除されたデータに係るものとなる。
【００６５】
そして、デマルチプレクサ１０９より出力されるビデオデータやオーディオデータがデコードされ、「Ｍ」チャネルのビデオ信号ＳＶやオーディオ信号ＳＡが得られる（ステップＳＴ８）。すなわち、デマルチプレクサ１０９より出力されるビデオデータ・ストリームＶＤＳに対してビデオ処理部１１０でデータ伸長等の処理が行われてビデオ信号ＳＶが生成され、このビデオ信号ＳＶが合成器１１２を介して出力端子１１１に導出される。また、デマルチプレクサ１０９より出力されるオーディオデータ・ストリームＡＤＳに対してオーディオ処理部１１３でデータ伸長等の処理が行われてオーディオ信号ＳＡが生成され、このオーディオ信号ＳＡが出力端子１１４に導出される。出力端子１１１に得られるビデオ信号ＳＶをモニタ（図示せず）に供給することで、「Ｍ」チャネルの画像を表示でき、また出力端子１１４に得られるオーディオ信号ＳＡをスピーカ（図示せず）に供給することで、「Ｍ」チャネルの音声を出力できる。
【００６６】
また、ＮＩＴの各ＴＳＩＤに付属するサービス・リスト・ディスクリプタ内のサービスＩＤについて「Ｍ」をサーチした結果、サービスＩＤ「Ｍ」がないとき（ステップＳＴ３）、コントローラ１０２は表示部１０４に受信不可である旨を表示させ（ステップＳＴ９）、受信動作を終了する。したがって、上述したように変調変換送出装置１２（図１２参照）において、視聴制限すべきサービス（番組）の情報として、ＮＩＴより、ＴＳＩＤに係る情報やサービス・リスト・ディスクリプタのサービスの情報が削除される場合、セット・トップ・ボックス１４では、そのサービス（番組）の受信が不可能となる。
【００６７】
なお、図１５のフローチャートでは、ステップＳＴ１で「Ｍ」チャネルの選局がある毎にステップＳＴ２でＮＩＴを取得し、そのＮＩＴを利用して「Ｍ」のサーチを行うように説明したが、内容変更がある毎にＮＩＴを随時取得してコントローラ１０２の内蔵メモリに記憶しておき、そのＮＩＴを利用して「Ｍ」のサーチを行うようにしてもよい。因に、ＮＩＴの内容の変更は、バージョン番号で認識される。
【００６８】
次に、視聴者のキー入力部１０３の操作により番組案内情報の表示指示があった場合の動作を説明する。
【００６９】
この場合、コントローラ１０２は、デマルチプレクサ１０９で固定のＰＩＤによってＥＰＧの情報としてのＳＤＴおよびＥＩＴが取得されるように制御し、ＳＤＴおよびＥＩＴに基づいてＯＳＤ回路１１７を制御し、このＯＳＤ回路１１７より番組案内情報を画面上に表示するための文字表示信号ＳＣＨを出力させる。この文字表示信号ＳＣＨは合成器１１２でビデオ信号ＳＶに合成されて出力端子１１１に導出される。そのため、例えばビデオ信号ＳＶによる画像が表示されるモニタの画面に、その画像に重ねて番組案内情報が表示される。
【００７０】
ここで、コントローラ１０２は、デマルチプレクサ１０９でさらにＮＩＴが取得されるように制御し、そのＮＩＴ（内蔵メモリに格納しているＮＩＴでもよい）のサービス・リスト・ディスクリプタに記述されているサービスＩＤに係る番組案内情報のみ表示させる。したがって、ＮＩＴのサービス・リスト・ディスクリプタにサービスＩＤが記述されており、セット・トップ・ボックス１４で受信可能なサービス（番組）に係る番組案内情報のみが表示されることとなる。
【００７１】
以上説明したように、本実施の形態においては、変調変換送出装置１２（図１２参照）では、視聴制限すべきサービス（番組）が指定されると、ＮＩＴよりそのサービスに係るサービスＩＤが削除される。そして、このようにＮＩＴより削除されるサービスＩＤに係るサービス（番組）は、伝送路１３上に存在するサービス（番組）であっても、セット・トップ・ボックス１４では受信が不可能となる。したがって、変調変換装置１２において、番組の視聴制限を容易、かつ自由に行うことができるという効果がある。
【００７２】
また、本実施の形態において、セット・トップ・ボックス１４では、番組案内情報の表示指示があった場合、ＯＳＤ回路１１７よりＥＰＧの情報に基づいて番組案内情報を表示するための文字表示信号ＳＣＨが出力され、モニタの画面上に番組案内情報が表示される。この場合、ＮＩＴのサービス・リスト・ディスクリプタにサービスＩＤが記述されており、セット・トップ・ボックス１４で受信可能なサービス（番組）に係る番組案内情報のみが表示される。したがって、セット・トップ・ボックス１４で受信不可能なサービス（番組）に係る番組案内情報が表示されることがなく、視聴者の混乱を防止することができる。
【図面の簡単な説明】
【００７３】
【図１】実施の形態としてのディジタルＣＡＴＶシステムの構成を示すブロック図である。
【図２】ＭＰＥＧ２トランスポートパケットとＤＶＢシステムのフレーム構成を示す図である。
【図３】ＭＰＥＧ２トランスポートパケットのパケット構造を示す図である。
【図４】ＰＥＳパケットのパケット構造を示す図である。
【図５】プログラム・アソシエーション・テーブル（ＰＡＴ）のテーブル構造を示す図である。
【図６】プログラム・マップ・テーブル（ＰＭＴ）のテーブル構造を示す図である。
【図７】ネットワーク・インフォメーション・テーブル（ＮＩＴ）のテーブル構造を示す図である。
【図８】ＮＩＴにおけるサテライト・デリバリー・システム・ディスクリプタの構造を示す図である。
【図９】ＮＩＴにおけるサービス・リスト・ディスクリプタの構造を示す図である。
【図１０】サービス・ディスクリプション・テーブル（ＳＤＴ）のテーブル構造を示す図である。
【図１１】イベント・インフォメーション・テーブル（ＥＩＴ）のテーブル構造を示す図である。
【図１２】ディジタルＣＡＴＶシステムを構成する変調変換送出装置の構成を示すブロック図である。
【図１３】ＣＡＴＶ・デリバリー・システム・ディスクリプタの構造を示す図である。
【図１４】ディジタルＣＡＴＶシステムを構成するセット・トップ・ボックス（ＳＴＢ）の構成を示すブロック図である。
【図１５】セット・トップ・ボックス（ＳＴＢ）の受信動作を説明するためのフローチャートである。
【符号の説明】
【００７４】
１０・・・ＣＡＴＶシステム、１１・・・アンテナ、１２・・・変調変換送出装置、１３・・・ＣＡＴＶの伝送路、１４，１４-1〜１４-m・・・セット・トップ・ボックス、１５-1〜１５-m・・・モニタ、２０・・・通信衛星、３１・・・制御部、３２-1〜３２-N・・・信号処理部、３３・・・加算器、３４・・・操作部、３５・・・表示部、４１・・・チューナ、４２・・・復調器、４３・・・ＥＣＣデコーダ、４４・・・ＮＩＴ検出回路、４５，４６・・・メモリ、４７・・・インタフェース、４８・・・ＮＩＴ置換回路、４９・・・ＥＣＣエンコーダ、５０・・・変調器、５１・・・周波数変換器、１０２・・・コントローラ、１０３・・・キー入力部、１０４・・・表示部、１０５・・・チューナ、１０６・・・復調器、１０７・・・ＥＣＣデコーダ、１０８・・・デスクランブラ、１０９・・・デマルチプレクサ、１１０・・・ビデオ処理部、１１１・・・ビデオ出力端子、１１２・・・合成器、１１３・・・オーディオ処理部、１１４・・・オーディオ出力端子、１１５・・・ＩＣカード、１１６・・・ＩＣカードインタフェース部、１１７・・・ＯＳＤ回路
【図１】
2008172819.tif 000003
【図２】
2008172819.tif 000004
【図３】
2008172819.tif 000005
【図４】
2008172819.tif 000006
【図５】
2008172819.tif 000007
【図６】
2008172819.tif 000008
【図７】
2008172819.tif 000009
【図８】
2008172819.tif 000010
【図９】
2008172819.tif 000011
【図１０】
2008172819.tif 000012
【図１１】
2008172819.tif 000013
【図１２】
2008172819.tif 000014
【図１３】
2008172819.tif 000015
【図１４】
2008172819.tif 000016
【図１５】
2008172819.tif 000017